(57)【要約】【課題】本考案は、マットレスに簡単に取り付け（セットし）易く、睡眠中にズリ落ち難く、しかも食事や読書等に際して背を起こして使用できるベッドでもマットレスからズリ落ちることのない新規なベッドカバーを提供する。【解決手段】本考案に係るベッドカバーは、カバー本体１の一端部に立体袋部（フード）２を設けたことを特徴とし、その立体袋部２をマットレスの一端部（枕側）に引っ掛けて他端部を引けば（延ばす）、マットレスへの取り付け（セット）が簡単に出来、しかも、立体袋部２をマットレスの一端部（枕側）に引っ掛けてから他端部を引き、その引いた他端部の両角部に予め三角状の弾性体を取付けておけば、該弾性体をマットレスの両角部に引っ掛けると、カバー本体とマットレスとの一体化がより確実になる。なお、カバー本体１の素材を防水性のものとすれば、フード付き防水性ベッドカバーとなる。【選択図】図１
0003131706.tif 000002
【実用新案登録請求の範囲】
【請求項１】
カバー本体の一端部に立体袋部を設けたことを特徴とするベッドカバー。
【請求項２】
前記立体袋部を有するカバー本体の他端部の両角部に弾性体が、三角状に取付けられていることを特徴とする請求項１に記載のベッドカバー。
【請求項３】
前記立体袋部が、カバー本体の一端部に直角曲げ面を作り、その両脇の内側二辺と直角曲げ面の下縁と、これらと対応する両脇に立上げ片を有する布片の外側二辺と外側縁とを逢着してなることを特徴とする請求項１又は２に記載のベッドカバー。
【考案の詳細な説明】
【技術分野】
【０００１】
本考案は、マットレスに取り付け（セットし）易く、睡眠中にズリ落ち難く、しかも食事や読書等に際して背を起こして使用できるベッドでもマットレスからズリ落ちることのない新規なベッドカバーに関するものである。
【背景技術】
【０００２】
一般に、ベッドカバーは、マットレスの平面積より縦横とも充分に大きく形成され、マットレス平面を覆ってから、縦横のはみ出し部をマットレスの下側に巻き込んむようにしてセットするのが普通である。この巻き込み部の整え方がベッドカバーのセットを綺麗に仕上げるコツである。
【考案の開示】
【考案が解決しようとする課題】
【０００３】
しかしながら、ベッド平面を覆って縦横のはみ出し部をマットレスの下側に巻き込む作業は労力が大きく面倒であったし綺麗なセットのためには多くの時間がかかった。また、ベッドカバーの縦横のはみ出し長さが均等でないときは、マットレスの下側に巻き込んだ部分が睡眠中に抜け出して仕舞い、床面にズリ落ちる恐れもあり、しかも、食事や読書等に際して背を起こして使用できるベッドの場合にはベッドカバーが腰の廻りまつわり付くようにマットレスからズリ落ちてしまう恐れもあった。
【０００４】
本考案は、上記の点に鑑み案出したもので、その目的とするところは、マットレスへの取り付け（セット）が簡単で、睡眠中にズリ落ちることがなく、食事等に際してベッドの背を起こした場合にもマットレスからズリ落ちることのないベッドカバーを提供することにある。
【課題を解決するための手段】
【０００５】
上記目的を達成するため、本考案に係るベッドカバーは、カバー本体の一端部に立体袋部（フード）を設けたことを特徴とし、その立体袋部をマットレスの一端部（枕側）に引っ掛けて他端部を引けばマットレスへの取り付け（セット）が簡単に出来るように構成した。
【０００６】
また、請求項２に記載のベッドカバーは、前記立体袋部を有するカバー本体の他端部の両角部に弾性体が、三角状に取付けられていることを特徴とし、立体袋部をマットレスの一端部（枕側）に引っ掛けてから他端部を引き、マットレスの他端部の両角部に三角状に取付けた弾性体を引っ掛けられるように構成した。
【０００７】
さらに、請求項３に記載のベッドカバーは、前記立体袋部が、カバー本体の一端部に直角曲げ面を作り、その両脇の内側二辺と直角曲げ面の下縁と、これらと対応する両脇に立上げ片を有する布片の外側二辺と外側縁とを逢着してなることを特徴とし、前記立体袋部を含め、全体がかたちよくシンプルになるように構成した。
【考案の効果】
【０００８】
本考案によれば、立体袋部（フード）をマットレスの一端部（枕側）に引っ掛けて他端部を引くだけでマットレスへの取り付け（セット）が簡単に出来、しかも、立体袋部が枕側においてマットレスと一体になっているので、カバー本体が睡眠中に床面にズリ落ちてしまうことがないし食事や読書等に際して背を起こして使用できるベッドの場合にもベッドカバーが腰の廻りまつわり付くようにマットレスからズリ落ちてしまうこともないという優れた効果を奏するものである。
【０００９】
また、請求項２に記載の考案によれば、立体袋部をマットレスの一端部（枕側）に引っ掛けてから他端部を引き、その引いた他端部の両角部に三角状に取付けた弾性体をマットレスの両角部に引っ掛けるようになっているのでカバー本体とマットレスとの一体化がより確実になるという優れた効果を奏するものである。
【００１０】
さらに、請求項３に記載の考案によれば、前記立体袋部が、カバー本体の一端部に直角曲げ面を作り、その両脇の二辺と直角曲げ面の下縁とが、対応縁部となるように両脇に立上げ片を有する布片を逢着しているので、前記立体袋部を含め、全体がかたちよくシンプルになり、したがって、畳んだり広げてマットレスに着用するなどの日常の取り扱い方が容易であるという優れた効果を奏するものである。
【考案を実施するための最良の形態】
【００１１】
次に、本考案の実施の最良の態様を図面に基いて説明する。図１はカバー本体をマットレスに取り付け（セット）した場合の斜視図、図２は立体袋部を形成するためにカバー本体に布片を対峙させた斜視図、図３はカバー本体と布片との対応縁部を逢着した状態の略示的斜視図、図４は食事等に際して背を起こして使用できる構造のベッドのマットレスに適用した状態の斜視図である。
【００１２】
１はカバー本体で、該カバー本体１は、図１の如く、一端部（枕側）に立体袋部（フード）２を設けている。この立体袋部２はこれをマットレス３の一端部（枕側）３′を覆うように引っ掛け（被せ）、カバー本体１の他端部を足側に引けば（延ばせば）マットレス３への取り付け（セット）を簡単に完了させることが出来る。前記カバー本体１や立体袋部２のサイズは、家庭や介護施設や病院などで汎用されているマットレスのサイズに合わせて作成される。また、カバー本体１の生地は、肌触りをよくする加工（例えば起毛）が施された木綿がよいが、生地に防水性の機能をもたせてもよい。さらに、汗の吸収性と、発散性に優れた合成樹脂繊維を利用したものでもよい。さらにまた、人の肌に当る側とマットレス３に当る側とを別個の生地を用い、例えば、マットレス３に対してはある程度の滑り性があり、人の肌に対しては温かいなどの機能性の高いもとすることもある。なお、カバー本体１の素材を防水性のものとすれば、フード付き防水性ベッドカバーとなる。
【００１３】
前記カバー本体１の他端部（足側）の両角部には、弾性体４を三角状に取付けておくとよい。すなわち、前記立体袋部２をマットレス３の一端部に引っ掛け（被せ）、他端部を引いて（延ばして）、前記弾性体４をマットレス３の他端部の両角部に、図１の如く、三角状に引っ掛ける。これにより、カバー本体１とマットレス３との一体化がより確実になり、睡眠中のズリ落ち性をより完璧にする。
【００１４】
前記立体袋部２は、通常、図２〜図３の手順で作られるとよい。すなわち、カバー本体１の一端部に直角曲げ面５を作り、その両脇の内側二辺５ａ、５ｂと、直角曲げ面の下縁５ｃと、これらと対応する両脇に立上げ片６、６を有する布片７の外側二辺６ａ、６ｂと外側縁６ｃとを逢着（逢合）８ａ、８ｂ、８ｃしてなる（図３参照）。これらの逢着８ａ〜８ｃした部位及びカバー本体１の関連部位は飾りテープ（図１の点模様部分）９で体裁よく被包逢着するとよい。
【００１５】
前記立体袋部２を、上述のように作ると、該立体袋部２を含め、全体がかたちよくシンプルになり、したがって、畳んだり広げてマットレスに着用するなどの日常の取り扱い方が容易になる。
【００１６】
図４は、食事や読書等に際して背部が手動又は自動にて起きるベッド枠１０とマットレス３とを組み合わせたもので、本願のカバー本体１の立体袋部２をマットレス３の一端部（枕側）に引っ掛け（被せ）、カバー本体１の他端部を足側に引いてセットする。したがって、カバー本体１の立体袋部２がマットレス３の背部とともに起き上がっても、カバー本体１が腰の廻りまつわり付くようにマットレスからズリ落ちてしまうことがない。
【産業上の利用可能性】
【００１７】
本願のカバー本体は、立体袋部（フード）２をマットレスの枕側に被せることにより簡単にセットでき、睡眠中にズレ落ちたり、食事や読書等に際して背を起こして使用しても腰の廻りまつわり付くようにマットレスからズリ落ちてしまうことのない、特に、家庭や介護施設や病院などで高齢者や要介護者のベッドカバーとして重要である。
【図面の簡単な説明】
【００１８】
【図１】カバー本体をマットレスに取り付け（セット）した場合の斜視図である。
【図２】立体袋部を形成するためにカバー本体に布片を対峙させた斜視図である。
【図３】カバー本体と布片との対応縁部を逢着した状態の略示的斜視図である。
【図４】食事等に際して背を起こして使用できる構造のベッドのマットレスに適用した状態の斜視図である。
【符号の説明】
【００１９】
１  カバー本体
２  立体袋部
３  マットレス
４  弾性体
５  直角曲げ面
５ａ、５ｂ  内側二辺
５ｃ  下縁
６  立上げ片
６ａ、６ｂ  外側二辺
６ｃ  外側縁
７  布片
８ａ、８ｂ、８ｃ  逢着（逢合）
９  飾りテープ
１０  ベッド枠
【図１】
0003131706.tif 000003
【図２】
0003131706.tif 000004
【図３】
0003131706.tif 000005
【図４】
0003131706.tif 000006